(57)【要約】【課題】  比較的長期間に亘って推定した気分の推移から、その期間における気分が総合的に見て良いのか悪いのかを判断することができるように構成された、気分判定装置を提供すること。【解決手段】  気分情報提供システム１のサーバ５は、対象者の気分に影響する生体信号を取得する生体信号取得部５１と、生体信号取得部５１が取得した生体信号に基づいて、対象者の気分を指標化した気分値を演算する気分値演算部５２と、１日の間に気分値演算部５２が演算した気分値を表す情報である気分ランクを時刻に関連付けてモニタリングすることにより、気分値のタイムチャートを作成するモニタリング部５４と、気分値のタイムチャートに基づいて、１日単位での対象者の気分を判定する気分判定部５５と、を備える。【選択図】  図６
2018166653.tif 000002
【特許請求の範囲】
【請求項１】
対象者の気分に影響する生体信号を取得する生体信号取得部と、
前記生体信号取得部が取得した生体信号に基づいて、対象者の気分を指標化した気分値を演算する気分値演算部と、
１日の間に前記気分値演算部が演算した気分値を表す情報を時刻に関連付けてモニタリングすることにより、前記気分値を表す情報の推移である気分値情報推移を取得するモニタリング部と、
前記気分値情報推移に基づいて、１日単位での対象者の気分を判定する気分判定部と、
を備える、気分判定装置。
【請求項２】
請求項１に記載の気分判定装置において、
前記気分値の取り得る範囲を複数の気分ランクに層別するとともに、層別された複数の気分ランクのうち、前記気分値演算部が演算した気分値が属する気分ランクを、その気分値に対して設定する気分ランク設定部を備え、
前記モニタリング部は、１日の間に前記気分ランク設定部が設定した気分ランクを時刻に関連付けてモニタリングすることにより、前記気分ランクの推移を表す気分ランクのタイムチャートを作成し、
前記気分判定部は、前記気分ランクのタイムチャートに基づいて、１日単位での対象者の気分を判定する、気分判定装置。
【請求項３】
請求項２に記載の気分判定装置において、
前記気分判定部は、
前記気分ランクのタイムチャートに表される気分ランクの推移が閾値ランクを不快方向に下回る頻度である不快発生頻度を演算する不快発生頻度演算処理と、
前記不快発生頻度が予め定められた閾値頻度以上であるか否かに基づいて、１日単位での対象者の気分を判定する判定処理と、
を実行する、気分判定装置。
【請求項４】
請求項２に記載の気分判定装置において、
前記気分判定部は、
前記気分ランクのタイムチャートに表される気分ランクの推移が閾値ランクを不快方向に下回る時間が、前記閾値ランクよりも快適方向に高い気分ランクである基準ランクを不快方向に下回る時間に対して占める割合を、不快時間割合として演算する不快時間割合演算処理と、
前記不快時間割合が予め定められた閾値時間割合以上であるか否かに基づいて、１日単位での対象者の気分を判定する判定処理と、
を実行する、気分判定装置。
【請求項５】
請求項３に記載の気分判定装置において、
前記気分判定部は、
前記気分ランクのタイムチャートに表される気分ランクの推移が閾値ランクを不快方向に下回る面積が、前記閾値ランクよりも快適方向に高い気分ランクである基準ランクを不快方向に下回る面積に対して占める割合を、不快面積割合として演算する不快面積割合演算処理と、
前記不快面積割合が予め定められた閾値面積割合以上であるか否かに基づいて、１日単位での対象者の気分を判定する判定処理と、
を実行する、気分判定装置。
【請求項６】
請求項１乃至５のいずれか１項に記載の気分判定装置において、
前記気分値情報推移から、対象者が不快になっている時刻の回帰を促すアドバイス情報を作成するアドバイス情報作成部を備える、気分判定装置。
【請求項７】
請求項６に記載の気分判定装置において、
前記気分値情報推移を、複数の日数について記憶するデータ記憶部と、
前記データ記憶部に記憶された複数の日数についての前記気分値情報推移に基づいて、平均的な気分値情報推移のパターンである平均推移パターンを学習する推移パターン学習部と、を備え、
前記アドバイス情報作成部は、前記気分値情報推移が前記平均推移パターンと異なる推移を示す部分を特異点として抽出するとともに、抽出した前記特異点の発生時刻に関する回帰を促すアドバイス情報を作成する、気分判定装置。
【請求項８】
請求項１乃至７に記載の気分判定装置において、
認証機能を有し、認証が解除されたときに、前記気分判定部による判定結果を提供する情報提供部と、
前記情報提供部から提供された情報を表示する表示部と、を備える、気分判定装置。
【発明の詳細な説明】
【技術分野】
【０００１】
本発明は、対象者の気分を判定する気分判定装置に関する。
【背景技術】
【０００２】
対象者の気分（感情）を推定し、或いは気分（気分の良し悪し）を判定する装置が開発されている。例えば、特許文献１は、対象者の顔に持続的に表れる主表情の種類の変化、及び、対象者の顔に瞬間的に表れる微表情の有無を検出し、検出された主表情の種類の変化及び微表情の有無に基づいて、対象者の感情を推定する感情推定装置を開示する。また、特許文献２は、対象者の生体データを収集し、収集した生体データに対して設定された推定区間内における感情の変化を推定する感情推定方法を開示する。また、特許文献３は、時針及び分針を有する腕時計式の装置の時針及び分針により表される時間軸の周に沿って、対象者の生理学的パラメータから得られた指標を表示する装置を開示する。また、特許文献４は、生体情報に基づいて推定された感情状態と、体動情報又は位置情報に基づいて推定された活動状態とに基づいて、対象者の嗜好を判定し、嗜好の判定に基づいて、視聴が推奨される推奨コンテンツを決定するように構成された画像表示システムを開示する
【先行技術文献】
【特許文献】
【０００３】
【特許文献１】特開２０１６−１４９０６３号公報
【特許文献２】特開２０１４−１４４０５２号公報
【特許文献３】特許第５０８１２２３号明細書
【特許文献４】特開２０１６−９２５１０号公報
【発明の概要】
【０００４】
（発明が解決しようとする課題）
従来の気分（感情）判定装置によれば、一定の短時間内に現れる気分を推定することはできるものの、長期間に亘って（例えば１日に亘って）推定した気分から、その期間内で総合的に見て気分が良いのか悪いのかを判断することができない。例えば、１日の中で気分が悪いとき（不快であるとき）と気分が良いとき（快適であるとき）があった場合、従来の気分判定装置によれば、その時々における気分の良し悪しを判定することはできるが、１日単位で見た場合、その日が総合的に見て気分が良い日であったのか、気分が悪い日であったのかを、判定できない。
【０００５】
本発明は、比較的長期間に亘って推定した気分の推移から、その期間における気分が総合的に見て良いのか悪いのかを判断することができるように構成された、気分判定装置を提供することを目的とする。
【０００６】
（課題を解決するための手段）
本発明は、対象者の気分に影響する生体信号を取得する生体信号取得部（５１）と、生体信号取得部が取得した生体信号に基づいて、対象者の気分を指標化した気分値を演算する気分値演算部（５２）と、１日の間に気分値演算部が演算した気分値を表す情報を時刻に関連付けてモニタリングすることにより、気分値を表す情報の推移である気分値情報推移を取得するモニタリング部（５４）と、気分値情報推移に基づいて、１日単位での対象者の気分を判定する気分判定部（５５）と、を備える、気分判定装置（５）を、提供する。
【０００７】
本発明によれば、１日の間に演算された対象者の気分値を表す情報を時刻に関連付けてモニタリングすることにより、気分値を表す情報の推移が取得される。そして、１日間の対象者の気分値を表す情報の推移に基づいて、１日単位での対象者の気分の良し悪しが判定される。このように、本発明によれば、１日単位で見て総合的に対象者の気分が良いのか悪いのかを判断することができる。
【０００８】
上記発明において、気分値を表す情報は、気分値そのものでもよいし、気分値を加工した情報、例えば後述する気分ランクでもよい。また、上記発明において、「気分値を表す情報を時刻に関連付けてモニタリングする」とは、気分値を表す情報を時刻に関連付けて時系列的に記憶することを言う。
【０００９】
また、本発明に係る気分判定装置は、気分値の取り得る範囲を複数の気分ランクに層別するとともに、層別された複数の気分ランクのうち、気分値演算部が演算した気分値が属する気分ランクを、その気分値に対して設定する気分ランク設定部（５３）を備えるとよい。また、モニタリング部は、１日の間に気分ランク設定部が設定した気分ランクを時刻に関連付けてモニタリングすることにより、気分ランクの推移を表す気分ランクのタイムチャートを作成するのがよい。そして、気分判定部は、気分ランクのタイムチャートに基づいて、１日単位での対象者の気分を判定するとよい。
【００１０】
この場合、気分判定部は、気分ランクのタイムチャートに表される気分ランクの推移が閾値ランクを不快方向に下回る頻度である不快発生頻度（Ｆ）を演算する不快発生頻度演算処理（Ｓ３０２）と、不快発生頻度が予め定められた閾値頻度（Ｆｔｈ）以上であるか否かに基づいて、１日単位での対象者の気分を判定する判定処理（Ｓ３０３，Ｓ３０４，Ｓ３０５）と、を実行するとよい。ここで、「閾値ランクを不快方向に下回る」とは、気分ランクのタイムチャートにより表される気分ランクが、閾値ランクにより表される気分よりも不快な気分を表す領域を推移していることを意味する。これによれば、１日の間に対象者が不快と感じた回数（頻度）に基づいて、１日単位での対象者の気分を判定することができる。
【００１１】
上記発明において、「閾値ランク」は任意の気分ランクに設定することができるが、やや不快程度に感じる気分ランクに設定するのがよい。このように閾値ランクを設定することにより、対象者が不快である頻度を精度良く演算することができる。
【００１２】
また、気分判定部は、気分ランクのタイムチャートに表される気分ランクの推移が閾値ランクを不快方向に下回る時間（Ｔ０）が、閾値ランクよりも快適方向に高い気分ランクである基準ランクを不快方向に下回る時間（ｔ０）に対して占める割合を、不快時間割合（ＲＴ）として演算する不快時間割合演算処理（Ｓ５０２）と、不快時間割合が予め定められた閾値時間割合（ＲＴｔｈ）以上であるか否かに基づいて、１日単位での対象者の気分を判定する判定処理（Ｓ５０３，Ｓ５０４，Ｓ５０５）と、を実行してもよい。ここで、「閾値ランクよりも快適方向に高い気分ランク」とは、閾値ランクにより表される気分よりも快適な気分を表す気分ランクを意味する。これによれば、対象者が１日の間に不快と感じた時間に基づいて、１日単位での対象者の気分を判定することができる。
【００１３】
また、気分判定部は、気分ランクのタイムチャートに表される気分ランクの推移が閾値ランクを不快方向に下回る面積（Ｓ０）が、閾値ランクよりも快適方向に高い気分ランクである基準ランクを不快方向に下回る面積（ｓ０）に対して占める割合を、不快面積割合（ＲＳ）として演算する不快面積割合演算処理（Ｓ６０２）と、不快面積割合が予め定められた閾値面積割合（ＲＳｔｈ）以上であるか否かに基づいて、１日単位での対象者の気分を判定する判定処理（Ｓ６０３，Ｓ６０４，Ｓ６０５）と、を実行してもよい。ここで、「気分ランクの推移が閾値ランクを不快方向に下回る面積」とは、気分ランクの推移が閾値ランクを不快方向に下回る領域の面積であり、さらに言えば、気分ランクの推移が閾値ランクを不快方向に下回る領域において、気分ランクと閾値ランクとの差の絶対値の時間積分値である。また、「気分ランクの推移が基準ランクを不快方向に下回る面積」とは、気分ランクの推移が基準ランクを不快方向に下回る領域の面積であり、さらに言えば、気分ランクの推移が基準ランクを不快方向に下回る領域において、気分ランクと基準ランクとの差の絶対値の時間積分値である。これによれば、対象者が１日の間に不快と感じた時間及びその不快の度合いに基づいて、１日単位での対象者の気分をより正確に判定することができる。
【００１４】
また、本発明に係る気分判定システムは、気分値情報推移（例えば気分ランクのタイムチャート）から、対象者が不快になっている時刻の回帰を促すアドバイス情報を作成するアドバイス情報作成部（５６）を備えるとよい。これによれば、アドバイス情報作成部が作成したアドバイス情報を対象者に提供することにより、対象者に不快であった時を回帰させることができ、それによりその時に起きた事象についての気づきを促し、且つ、その事象について再考させることができる。
【００１５】
また、本発明に係る気分判定システムは、気分値情報推移（例えば気分ランクのタイムチャート）を、複数の日数について記憶するデータ記憶部（５７）と、データ記憶部に記憶された複数の日数についての気分値情報推移に基づいて、平均的な気分値情報推移のパターンである平均推移パターンを学習する推移パターン学習部（５８）と、を備えるとよい。そして、アドバイス情報作成部は、気分値情報推移が平均推移パターンと異なる推移を示す部分を特異点として抽出するとともに、抽出した特異点の発生時刻に関する回帰を促すアドバイス情報を作成するとよい。これによれば、通常と異なる気分の変動があったときに、その回帰を促すアドバイス情報を対象者に提供することにより、その時に起きた事象についての気づきを促し、且つ、その事象について再考させることができる。
【００１６】
また、本発明に係る気分判定システムは、認証機能を有し、認証が解除されたときに、気分判定部による判定結果を提供する情報提供部（５９）と、情報提供部から提供された情報を表示する表示部（４１）と、を備えるとよい。これによれば、情報提供部の認証機能により、対象者の気分に関する情報が他人に漏洩されることを防止できる。また、認証が解除されたときに情報提供部が気分の判定結果を表示部を介して対象者に提供することにより、対象者にその日１日の気分が総合的にどのようであるかを報知することができる。
【図面の簡単な説明】
【００１７】
【図１】実施形態に係る気分判定装置を備える気分情報提供システムの概略構成を示す図である。
【図２】生体信号検出センサの検出回路によりなされる生体信号検出処理の流れを示すフローチャートである。
【図３】サーバの機能構成を示すブロック図である。
【図４】モニタリング部５４が実行するモニタリング処理ルーチンの流れを示すフローチャートである。
【図５】気分ランクのタイムチャートの一例を示す図である。
【図６】気分判定部が実行する気分判定処理ルーチンの流れを示すフローチャートである。
【図７】情報提供部が実行する情報提供処理ルーチンの流れを示すフローチャートである。
【図８】変形例１に係る気分判定部が実行する気分判定処理ルーチンの流れを示すフローチャートである。
【図９】不快時間割合を説明するための気分ランクのタイムチャートである。
【図１０】変形例２に係る気分判定部が実行する気分判定処理ルーチンの流れを示すフローチャートである。
【図１１Ａ】不快面積が示された気分ランクのタイムチャートである。
【図１１Ｂ】基準面積が示された気分ランクのタイムチャートである。
【発明を実施するための形態】
【００１８】
以下、本発明の実施形態について図面を参照して説明する。図１は、本実施形態に係る気分判定装置を備える気分情報提供システムの概略構成を示す図である。図１に示すように、本実施形態に係る気分情報提供システム１は、生体信号検出センサ２と、中継器（モデム）３と、外部モバイル機器４と、サーバ５とを備える。サーバ５が、本発明の気分判定装置に相当する。なお、外部モバイル機器４も気分判定装置に含めることができる。
【００１９】
生体信号検出センサ２は、気分情報提供システム１が気分情報を提供する対象者（ユーザー）の生体信号であって、対象者の気分に影響する生体信号を検出する。生体信号検出センサ２は、対象者の複数の生体信号を個々に検出する複数のセンサにより構成されるセンサ群であってもよい。センサ群を構成する複数のセンサとして、対象者の心拍信号を検出する心拍信号検出センサ、対象者の脈波信号を検出する脈波信号検出センサ、対象者の皮膚電位信号（ここで、皮膚電位の大きさは、発汗量に影響する）を検出する皮膚電位信号検出センサ、呼吸情報（呼吸数、呼吸間隔等）を検出する呼吸情報検出センサ、体温（皮膚温度）を検出する体温検出センサ、血圧検出センサ、体動（加速度）を検出する体動検出センサ、等を例示することができる。
【００２０】
生体信号検出センサ２は、ウェアラブルセンサとして対象者が身に着けていてもよいし、或いは、対象者が滞在する場所に設置されていてもよい。例えば、対象者の自宅、対象者が就寝する際に使用するベッド、対象者が所持する車両のシート、等に、これらの生体信号検出センサ２が設置されていてもよい。この生体信号検出センサ２は、有線通信手段或いは無線通信手段により、中継器３と通信可能に構成される。
【００２１】
また、生体信号検出センサ２は、センサ部２１、作動スイッチ２２、及び検出回路２３を有する。作動スイッチ２２がＯＮ状態であるときに生体信号検出センサ２が作動し、作動スイッチ２２がＯＦＦ状態であるときに生体信号検出センサ２の作動が停止する。作動スイッチ２２がＯＦＦ状態からＯＮ状態にされたとき、検出回路２３は、生体信号検出処理を実行する。
【００２２】
図２は、生体信号検出センサ２の検出回路２３によりなされる生体信号検出処理の流れを示すフローチャートである。図２に示す処理の流れによれば、検出回路２３は、まず、図２のステップ（以下、ステップをＳと略記する）１０１にて、生体信号が入力されているか否かを判断する。生体信号が入力されている場合（Ｓ１０１：Ｙｅｓ）、入力された生体信号を検出し（Ｓ１０２）、検出した生体信号を検出時刻（及び日付）と関連付けて、送信する（Ｓ１０３）。次いで、作動スイッチ２２がＯＦＦ状態であるか否かを判断する（Ｓ１０４）。作動スイッチ２２がＯＮ状態である場合（Ｓ１０４：Ｎｏ）、検出回路２３はＳ１０１に処理を戻して上記した処理を繰り返す。一方、作動スイッチ２２がＯＦＦ状態である場合（Ｓ１０４：Ｙｅｓ）、検出回路２３はこのルーチンを終了する。
【００２３】
また、図２のＳ１０１にて、生体信号が入力されていないと判断した場合（Ｓ１０１：Ｎｏ）、検出回路２３は、Ｓ１０５に処理を進めて、所定時間が設定された内蔵タイマーを作動させる。次いで、Ｓ１０６にて、内蔵タイマーがカウントアップしたか否かを判断する。カウントアップしていない場合（Ｓ１０６：Ｎｏ）検出回路２３はＳ１０１に処理を戻し、生体信号が入力されているか否かの判断を繰り返す。一方、内蔵タイマーがカウントアップした場合（Ｓ１０６：Ｙｅｓ）、検出回路２３は、生体信号検出センサ２が装着されていない（ウェアラブルセンサの場合）等の理由により生体信号の検出が不可能であると判断して、このルーチンを終了する。
【００２４】
生体信号検出センサ２の検出回路２３が上記した処理を実行することにより、逐次的に生体信号が検出されるとともに、検出された生体信号が、検出時刻（及び日付）と関連付けられて、中継器３に送信される。
【００２５】
中継器３は、生体信号検出センサ２から送信された対象者の生体信号を逐次的に受信する。また、中継器３は、サーバ５と無線通信可能に構成される。中継器３は、生体信号検出センサ２から受信した対象者の生体信号を、無線通信によってサーバ５に送信する。
【００２６】
外部モバイル機器４は、無線通信によって中継器３に接続される。従って、外部モバイル機器４は、中継器３を介してサーバ５と送受信することができる。なお、外部モバイル機器４とサーバ５とが直接送受信可能であるように構成することもできる。この場合、中継器３は省略され、且つ、生体信号検出センサ２が検出した生体信号が直接サーバ５に送信される。
【００２７】
外部モバイル機器４は表示画面４１を有する。表示画面４１には対象者が所定の情報を入力することができる。表示画面４１に入力された情報は、中継器３を介してサーバ５に送信される。また、サーバ５が送信した情報が、中継器３を介して外部モバイル機器４の表示画面４１に表示される。これにより、サーバ５からの情報が対象者に提供される。外部モバイル機器４として、スマートフォン或はタブレット端末を例示することができる。
【００２８】
サーバ５は、データの送受信、データの記憶・保管、データの解析・判定・統合処理、等を行うことができるハードウェアである。図３は、サーバ５の機能構成を示すブロック図である。図３に示すように、サーバ５は、生体信号取得部５１と、気分値演算部５２と、気分ランク設定部５３と、モニタリング部５４と、気分判定部５５と、アドバイス情報作成部５６と、データ記憶部５７と、推移パターン学習部５８と、情報提供部５９とを有する。
【００２９】
生体信号取得部５１は、対象者の生体信号を取得する。気分値演算部５２は、生体信号取得部５１が取得した生体信号に基づいて、対象者の気分を指標化した値である気分値を演算する。ここで、本明細書において、対象者の「気分」とは、対象者が快適であるか不快であるかを表す概念として用いられる。また、「気分値」とは、気分を指標化した値である。
【００３０】
気分ランク設定部５３は、気分値演算部５２が演算した気分値に対し、その大きさに対応する気分ランクを設定する。気分ランクについては後述する。モニタリング部５４は、対象者の気分値について設定された気分ランクをモニタリング（監視）するとともに、１日の間に設定された気分ランクの推移を表すタイムチャートを作成する。気分判定部５５は、モニタリング部５４が作成した気分ランクのタイムチャートに基づいて、１日単位での対象者の気分を判定する。
【００３１】
アドバイス情報作成部５６は、モニタリング部５４が作成したタイムチャート、或いは、モニタリング部５４が作成したタイムチャートと後述する推移パターン学習部５８が学習した平均推移パターンとの比較から、気分の変動に関する対象者へのアドバイス情報を作成する。データ記憶部５７は、各種のデータを記憶・保管する。推移パターン学習部５８は、１日を通じた対象者の気分ランクの推移パターンの平均パターン（平均推移パターン）を学習する。情報提供部５９は、データ照会信号を受信したときに、必要なデータを出力する。
【００３２】
上記構成の気分情報提供システム１において、上述したように生体信号検出センサ２が生体信号を検出すると、その生体信号は中継器３を介してサーバ５に送信される。サーバ５に送信された生体信号は、サーバ５の生体信号取得部５１に取得される。生体信号取得部５１は、取得した生体信号を気分値演算部５２に出力する。気分値演算部５２は、生体信号を入力した場合、入力した生体信号に基づいて、対象者の気分を指標化した気分値を演算する。
【００３３】
気分の変動（快、不快の変動）は、特定の生体信号（例えば心拍信号、皮膚電位信号（＝発汗量））の変動に現れる。従って、特定の生体信号から、気分の良し悪しを推定することができ、推定した気分の良し悪しを指標化することで、気分（快適であるか不快であるか）を定量的に把握することができる。この場合、気分値演算部５２は、気分が良い（快適である）という事象の発生確率ｐの対数オッズ（ｌｎ（ｐ／（１−ｐ））を従属変数、生体信号ｘｋを独立変数とした以下に示すようなロジスティック回帰モデル式
ｌｎ（ｐｉ／（１−ｐｉ））＝α０＋α１ｘ１，ｉ＋・・・＋αｋｘｋ，ｉ
ｉ＝１，・・・ｎ
を用いたロジスティック回帰分析により、発生確率ｐを演算する。ここで、ｋは次元数と呼ばれるデータの種類数を示し、ｉはデータ数を示す。なお、生体信号ｘｋについての最適な回帰係数αｋは、予め求められる。気分値は、例えば、発生確率ｐに１００を乗じて０〜１００（％）の範囲内の値として求められる。この場合、気分値が小さいほど対象者が不快に感じていることを表し、気分値が大きいほど対象者が快適に感じていることを表す。気分値演算部５２は、演算した気分値を気分ランク設定部５３に出力する。
【００３４】
気分ランク設定部５３は、気分値を入力すると、入力した気分値に対し、その気分値の大きさに対応する気分ランクを設定する。ここで、気分ランク設定部５３は、気分値の取り得る範囲（上記の例では０〜１００）を１０分割することにより気分値を１０段階に層別しており、層別した１０段階のランクにそれぞれ気分ランク１〜１０を与えている。そして、気分ランク設定部５３は、上記のように層別した複数（１０）の気分ランクのうち、入力した気分値が属する気分ランクを、入力した気分値に対して設定する。
【００３５】
例えば、気分値０〜１０の範囲が気分ランク１に対応し、気分値１１〜２０の範囲が気分ランク２に対応し、気分値２１〜３０の範囲が気分ランク３に対応し、気分値３１〜４０の範囲が気分ランク４に対応し、気分値４１〜５０の範囲が気分ランク５に対応し、気分値５１〜６０の範囲が気分ランク６に対応し、気分値６１〜７０の範囲が気分ランク７に対応し、気分値７１〜８０の範囲が気分ランク８に対応し、気分値８１〜９０の範囲が気分ランク９に対応し、気分値９１〜１００の範囲が気分ランク１０に対応するように、気分値の取り得る範囲が層別される。この場合、入力された気分値が５５であれば、その気分値に対して、気分ランク６が設定される。
【００３６】
このように、気分ランクには、気分値の大きさが反映される。従って、気分ランクが小さいほど対象者が不快に感じていることを表し、気分ランクが大きいほど対象者が快適に感じていることを表す。表１に、気分ランクと対象者の気分（快・不快）の状態との関係を示す。
【表１】
2018166653.tif 000003
【００３７】
気分ランク設定部５３は、上記のようにして、入力された気分値に対して気分ランクを設定した後に、設定した気分ランクをモニタリング部５４に出力する。なお、気分ランク設定部５３は、気分値を入力するごとに、その気分値に対して気分ランクを設定してもよいが、所定の短時間の間に入力された気分値の平均値に対して気分ランクを設定してもよい。例えば、１０分の間に入力された気分値の平均値に対して気分ランクを設定してもよい。この場合、１０分ごとに、気分ランクが気分ランク設定部５３からモニタリング部５４に出力される。
【００３８】
モニタリング部５４は、モニタリング処理を実行する。図４は、モニタリング部５４が実行するモニタリング処理ルーチンの流れを示すフローチャートである。このルーチンは、所定の短時間ごとに繰り返し実行される。このルーチンが起動すると、モニタリング部５４は、まず、図４のＳ２０１にて、気分ランク設定部５３から気分ランクが入力されたか否かを判断する。気分ランクが入力されていない場合（Ｓ２０１：Ｎｏ）、モニタリング部５４はこのルーチンを終了する。一方、気分ランクが入力された場合（Ｓ２０１：Ｙｅｓ）、モニタリング部５４は、リアルタイム送信要求信号が入力されているか否かを判断する（Ｓ２０２）。リアルタイム送信要求信号は、現時点における気分を知りたい場合等に、対象者が外部モバイル機器４を通じてサーバ５に送信する信号である。リアルタイム送信要求信号が入力されている場合（Ｓ２０２：Ｙｅｓ）、モニタリング部５４は、気分ランク設定部５３から入力した気分ランク及びその気分ランクに対応する気分を中継器３に送信する（Ｓ２０３）。中継器３は、受信した気分ランク及びその気分ランクに対応する気分を外部モバイル機器４に送信する。外部モバイル機器４は、表示画面４１に受信した気分ランク及び気分を表示する。これにより、対象者は、リアルタイムで気分を知ることができる。
【００３９】
Ｓ２０３にて気分ランク及びその気分ランクに対応した気分を送信した後に、モニタリング部５４はＳ２０４に処理を進める。また、Ｓ２０２にてリアルタイム送信要求信号が入力されていないと判断した場合（Ｓ２０２：Ｎｏ）、モニタリング部５４はＳ２０３の処理を飛ばしてＳ２０４に処理を進める。Ｓ２０４では、モニタリング部５４は、入力した気分ランクを、入力時刻に関連付けて、記憶する。Ｓ２０４の処理が繰り返し実行されることにより、モニタリング部５４に、対象者の気分ランクが時系列的に記憶される。つまり、対象者の気分ランクがモニタリングされる。
【００４０】
次いで、モニタリング部５４は、Ｓ２０５にて、現在時刻が更新時刻であるか否かを判断する。更新時刻は、前回の更新時刻から今回の更新時刻までの時間が２４時間であるように、常に一定の時刻である。更新時刻は任意の時刻に設定することができるが、日付が変わる時刻（午前零時）に更新時刻を設定するとよい。また、更新時刻は、対象者の就寝開始時刻よりも後の時刻に設定することもできる。Ｓ２０５にて現在時刻が更新時刻ではないと判断した場合（Ｓ２０５：Ｎｏ）、モニタリング部５４は、Ｓ２０１に処理を戻す。一方、Ｓ２０５にて現在時刻が更新時刻であると判断した場合（Ｓ２０５：Ｙｅｓ）、モニタリング部５４は、前回の更新時刻から今回の更新時刻までの間、すなわち１日の間に記憶した気分ランクの時系列データを読み出す（Ｓ２０６）。次いで、Ｓ２０７にて、読み出した１日分の気分ランクの時系列データに基づいて、気分ランクのタイムチャートを作成する。
【００４１】
図５は、Ｓ２０７の処理にて作成される気分ランクのタイムチャートの一例を示す図である。このタイムチャートは、時刻に応じて気分ランクをグラフ化することにより作成される。図５に示すタイムチャートの横軸は時刻（時）であり、縦軸が気分ランクである。図５に示す例では、１０分刻みで気分ランクが表示される。図５に示すように、気分ランクは、時間の経過とともに変動する。例えば、１０時には、気分ランクが１まで低下しており、対象者が非常に不快であることがわかる。また、１４時から１５時までの間の気分ランクが非常に高く、この時間帯にて対象者の気分が快適であることがわかる。なお、図５に示す例では、０時から６時までの間、及び２３時から２４時までの間の気分ランクの推移が示されていない。この理由は、対象者の就寝時間が２３時から６時までであるので、その時間帯に、生体信号検出センサが対象者から取り外され、或いは生体信号検出センサの作動スイッチがＯＦＦにされているからである。
【００４２】
図５に示すような、モニタリング部５４が作成したタイムチャートに表される気分ランクは、気分値を表す情報である。また、図５に示すタイムチャートは、１日（前回更新時刻から今回更新時刻）の間に気分値演算部が演算した気分値に対して設定された気分ランクの時系列データである。従って、このタイムチャートは、１日の間に設定された対象者の気分値を表す情報（気分ランク）の推移であると言える。このタイムチャートが、本発明の気分値情報推移に相当する。従って、モニタリング部５４は、気分値のタイムチャートを作成することにより、気分値情報推移を取得する。
【００４３】
モニタリング部５４は、Ｓ２０７にて気分ランクのタイムチャートを作成した後に、作成した気分ランクのタイムチャートを出力する（Ｓ２０８）。出力した気分ランクのタイムチャートは、気分判定部５５に入力される。その後、モニタリング部５４は、このルーチンを終了する。
【００４４】
また、気分判定部５５は、気分判定処理を実行する。図６は、気分判定部５５が実行する気分判定処理ルーチンの流れを示すフローチャートである。このルーチンは、所定の短時間ごとに繰り返し実行される。このルーチンが起動すると、気分判定部５５は、まず、図６のＳ３０１にて、モニタリング部５４から気分ランクのタイムチャートを入力したか否かを判断する。気分ランクのタイムチャートを入力していない場合（Ｓ３０１：Ｎｏ）、気分判定部５５はこのルーチンを終了する。一方、気分ランクのタイムチャートを入力した場合（Ｓ３０１：Ｙｅｓ）、気分判定部５５は、Ｓ３０２に処理を進める。
【００４５】
Ｓ３０２では、気分判定部５５は、入力した気分ランクのタイムチャートから、不快発生頻度Ｆを求める。不快発生頻度Ｆとは、入力した気分ランクのタイムチャートに表される気分ランクの推移が不快ゾーンに突入する回数である。「不快ゾーン」とは、対象者の気分が不快と感じている領域を意味し、不快ゾーンと不快ゾーンではないゾーンが閾値ランクで仕切られる。本実施形態では、不快ゾーンの閾値の気分ランク（閾値ランク）が４に設定されている。従って、本実施形態において、不快ゾーンは、気分ランクのタイムチャート中、気分ランク４未満の領域である。不快発生頻度Ｆは、気分ランクが閾値ランク（気分ランク４）を不快方向（気分ランクが小さくなる方向）に下回る頻度（回数）、つまり気分ランクが３以下となる状態が出現する回数である。図５に示す例では、１日（２４時間）の間に気分ランクが閾値ランク４を下回る回数は、図５のタイムチャートの下部に円で囲まれた数字で示すように、５回である。従って、不快発生頻度Ｆは５である。Ｓ３０３の処理が、本発明の不快発生頻度演算処理に相当する。
【００４６】
続いて、気分判定部５５は、Ｓ３０３に処理を進める。Ｓ３０３では、Ｓ３０２にて求めた不快発生頻度Ｆが閾値頻度Ｆｔｈ以上であるか否かが判断される。閾値頻度Ｆｔｈは、不快発生頻度Ｆが１日あたりそれ以上である場合に、総合的に見て対象者の気分が不快であると判断することができる値として、予め設定される。なお、閾値頻度Ｆｔｈは、対象者の過去の気分ランクのタイムチャートから得られる不快発生頻度Ｆの平均値に基づいて設定することもできる。
【００４７】
不快発生頻度Ｆが閾値頻度Ｆｔｈ以上である場合（Ｓ３０３：Ｙｅｓ）、気分判定部５５は、気分状態を「不快」に設定する（Ｓ３０４）。一方、不快発生頻度Ｆが閾値頻度Ｆｔｈ未満である場合（Ｓ３０３：Ｎｏ）、気分判定部５５は、気分状態を「快適」に設定する（Ｓ３０５）。ここで言う、「気分状態」とは、１日単位で見て総合的に表すことができる気分の状態を言う。従って、気分状態が「不快」である場合、対象者のその日１日が総じて不快であったことを表し、気分状態が「快適」である場合、対象者のその日１日が総じて快適であったことを表す。気分判定部５５が、Ｓ３０４又はＳ３０５にて気分状態を「不快」又は「快適」に設定することによって、１日単位での対象者の気分が判定される。Ｓ３０３，Ｓ３０４，Ｓ３０５の処理が、本発明の判定処理に相当する。
【００４８】
気分判定部５５は、Ｓ３０４又はＳ３０５にて気分状態を設定した後に、Ｓ３０６に処理を進め、モニタリング部５４から入力した気分ランクのタイムチャート、そのタイムチャートに基づいて演算した不快発生頻度Ｆ、及び設定した気分状態を、関連付けて、アドバイス情報作成部５６に出力する。その後、気分判定部５５は、このルーチンを終了する。
【００４９】
気分判定部５５が上記した気分判定処理を実行することにより、対象者の１日単位での気分の推移状態を把握することができるとともに、対象者の１日単位での総合的な気分の良し悪しを、気分状態として、判定することができる。
【００５０】
アドバイス情報作成部５６は、気分判定部５５から、気分ランクのタイムチャート、そのタイムチャートについての不快発生頻度Ｆ及び気分状態を入力する。また、アドバイス情報作成部５６は、入力した気分ランクのタイムチャートから、対象者の気分ランクが低い時刻、すなわち対象者が不快である時刻の回帰を促すようなアドバイス情報を作成する。例えば、図５に示すタイムチャートにおいて、午前１０時頃に気分ランクが非常に低い。この場合、アドバイス情報作成部５６は、「午前１０時頃に気分が悪化しています。何かありましたか。」などとったアドバイス情報を作成する。このようなアドバイス情報が対象者に提供されることにより、対象者は不快であった時刻に発生した事象について気づかされ、それについて再考することができる。
【００５１】
また、アドバイス情報作成部５６は、入力した気分状態が「不快」であった場合、対象者の嗜好を考慮して、気分転換することができるようなアドバイス情報を作成する。例えば、アドバイス情報作成部５６は、「気の置ける人と過ごしたり、会話したりしたらどうですか」、「入浴して気分を落ち着けてみてはいかがですか」、「散歩、運動などしてみてはどうですか」、等の、日常の生活行動を促すアドバイス情報を作成することができる。
【００５２】
また、アドバイス情報作成部５６は、入力したタイムチャートに表される気分ランクの推移を、その対象者についての平均的な推移パターン（平均推移パターン）と比較し、その比較結果に基づいてアドバイス情報を作成することができる。具体的には、アドバイス情報作成部５６は、入力したタイムチャートに表される気分ランクの推移が、平均推移パターンと異なる推移を示す部分を特異点として抽出する。そして、抽出した特異点の発生時刻に関する回帰を促すアドバイス情報を作成する。例えば、１４時頃の時点における気分ランクのタイムチャートに表される気分ランクの推移が平均推移パターンにより表される気分ランクの推移と異なる場合、アドバイス情報作成部５６は、「今日の１４時頃に、いつもと違う気分の変動がありました。何かありましたか。」などといったアドバイス情報を作成する。このようなアドバイス情報が対象者に提供されることにより、対象者は、抽出された時刻に発生した通常とは異なる事象について気づかされ、それについて再考することができる。なお、平均推移パターンは、後述する推移パターン学習部５８から読み出すことができる。
【００５３】
また、アドバイス情報作成部５６は、作成したアドバイス情報と、そのアドバイス情報を作成するために用いた気分ランクのタイムチャートと、そのタイムチャートの不快発生頻度Ｆと、そのタイムチャートから判定された気分状態を、関連付けて、データ記憶部５７に出力する。データ記憶部５７は、これらのデータを記憶・保管する。アドバイス情報作成部５６がこれらのデータを出力する都度、データ記憶部５７がこれらのデータを記憶・保管することにより、一人の対象者について、数日分、数週間分、数月分、或いは数年分の気分情報（タイムチャート、不快発生頻度、気分状態、アドバイス情報）が、データ記憶部５７に蓄積される。
【００５４】
推移パターン学習部５８は、上述した平均推移パターンを学習する。具体的には、推移パターン学習部５８は、データ記憶部５７に記憶されている対象者についての複数の日数についての気分ランクのタイムチャートに基づいて、平均推移パターンを学習する。この場合、推移パターン学習部５８は、データ記憶部５７に記憶されている同一の対象者についての全てのタイムチャートに表された同一時刻の気分ランクを平均することにより、その時刻における気分ランクの平均値を算出する。このような平均値の算出を、全ての時刻について行うことにより、平均推移パターンを得る。推移パターン学習部５８は、定期的に、平均推移パターンを学習しても良いし、データ記憶部５７にタイムチャートが蓄積されるごとに、平均推移パターンを学習しても良い。学習した平均推移パターンは、上述したようにアドバイス情報作成部５６に読み出される。
【００５５】
情報提供部５９は、情報提供処理を実行する。図７は、情報提供部５９が実行する情報提供処理ルーチンの流れを示すフローチャートである。このルーチンは、所定の短時間ごとに繰り返し実行される。このルーチンが起動すると、情報提供部５９は、まず、図７のＳ４０１にて、データ照会信号を受信したか否かを判断する。ここで、外部モバイル機器４には、本実施形態に係る気分情報提供システム１から情報の提供を受けるためのアプリケーションソフトウェアがインストールされている。対象者は、気分情報を閲覧したいときに、このアプリケーションソフトウェアを起動させる。そして、起動したアプリケーションソフトウェアにより指示されるコマンドに従って外部モバイル機器４を操作することにより、外部モバイル機器４からデータ照会信号が出力される。出力されたデータ照会信号は、中継器３を介してサーバ５の情報提供部５９に受信される。
【００５６】
情報提供部５９は、Ｓ４０１にてデータ照会信号を受信していないと判断した場合（Ｓ４０１：Ｎｏ）、このルーチンを終了する。一方、Ｓ４０１にてデータ照会信号を受信したと判断した場合（Ｓ４０１：Ｙｅｓ）、情報提供部５９はＳ４０２に処理を進めて、パスワード要求信号を送信する。送信されたパスワード要求信号は、中継器３を介して外部モバイル機器４に受信される。これにより、外部モバイル機器４の表示画面４１に、パスワードの入力を促す画面が表示される。対象者は、表示画面４１にパスワードを入力する。入力されたパスワードは情報提供部５９に送信される。
【００５７】
次いで、情報提供部５９は、パスワードを受信したか否かを判断する（Ｓ４０３）。パスワードを受信していない場合（Ｓ４０３：Ｎｏ）、パスワードを受信するまで待つ。一方、パスワードを受信した場合（Ｓ４０３：Ｙｅｓ）。情報提供部５９は、Ｓ４０４に処理を進めて、受信したパスワードが適正であるか否かを判断する。パスワードが適正でない場合（Ｓ４０４：Ｎｏ）、パスワードが適正でないことを表す拒絶信号を、中継器３を介して外部モバイル機器４に送信し（Ｓ４０６）、その後、Ｓ４０２に処理を戻す。これにより、外部モバイル機器４の表示画面４１に、「パスワードが間違っています。」といった記載が表示されるとともに、再度パスワードの入力を促す画面が表示される。
【００５８】
一方、受信したパスワードが適正である場合（Ｓ４０４：Ｙｅｓ）、情報提供部５９は認証を解除する（Ｓ４０５）。このように、情報提供部５９は認証機能を有する。認証が解除された場合、情報提供部５９はＳ４０７に処理を進めて、照会内容選択信号を、中継器３を介して外部モバイル機器４に送信する。これにより、外部モバイル機器４の表示画面４１に、対象者が要求する照会内容を選択することができる画面が表示される。選択することができる照会内容として、例えば、「昨日１日分の気分情報を閲覧する」、「過去数日分の気分情報をまとめて閲覧する」、等の内容を例示できる。
【００５９】
続いて、情報提供部５９は、外部モバイル機器４から照会内容を表す信号を受信したか否かを判断する（Ｓ４０８）。照会内容を表す信号を受信していない場合、受信するまで待つ。一方、照会内容を表す信号を受信した場合、Ｓ４０９に処理を進める。Ｓ４０９では、情報提供部５９は、受信した照会内容に応じて、少なくとも、気分判定部５５が判定した気分状態（不快若しくは快適）を含む必要な気分情報を収集・加工する。次いで、収集・加工した気分情報を送信する（Ｓ４１０）。送信された気分情報は、中継器３を介して外部モバイル機器４の表示画面４１に表示される。これにより、対象者が所望の気分情報を閲覧することができる。このようにして、対象者に、気分判定部５５が判定した気分状態（不快、快適）を含む気分情報が、提供される。
【００６０】
この場合において、情報提供部５９が受信した照会内容に１日分の気分データを閲覧するという内容が含まれる場合、情報提供部５９は、データ記憶部５７に記憶されている気分情報（タイムチャート、不快発生頻度Ｆ、気分状態、アドバイス情報）から、該当する日付における気分情報を読み出して、送信する。これにより、外部モバイル機器４に、該当する日についての気分情報が表示される。また、受信した照会内容に、数日分の気分情報をまとめて閲覧するという内容が含まれる場合、情報提供部５９は、データ記憶部５７に記憶されている気分情報から、該当する数日間分の気分情報を読み出し、読み出した気分情報に含まれる気分ランクのタイムチャートを結合したタイムチャートを作成する。そして、作成したタイムチャートを表す信号を送信する。これにより、外部モバイル機器４に、数日分の気分データがまとめて表されたタイムチャートが表示される。
【００６１】
また、Ｓ４１０にて送信する気分情報には、問診情報を含めることができる。問診情報とは、対象者の気分の変動状態が通常とは異なるときなどに、何が起こったのかを問い合わせるような内容からなる情報である。問診情報として、例えば、「１６時にいつもとは違う気分の変動が観測されています。この時に何かありましたか。」というような内容、を、例示することができる。
【００６２】
従って、Ｓ４１０にて問診情報を合わせて送信している場合、情報提供部５９は、次にＳ４１１に処理を進めて、問診情報に対する回答が入力されたか否かを判断する。問診情報に対する回答が入力された場合（Ｓ４１１：Ｙｅｓ）、情報提供部５９は、その回答を、回答に係る気分情報に関連付けて、データ記憶部５７に出力する。これにより、データ記憶部５７は、問診情報の回答を記憶することができる。その後、情報提供部５９は、Ｓ４１３に処理を進める。なお、Ｓ４１０にて問診情報を送信していない場合、Ｓ４１１及びＳ４１２の処理を省略することができる。
【００６３】
また、Ｓ４１１にて問診情報の回答が入力されていないと判断した場合（Ｓ４１１：Ｎｏ）、情報提供部５９はＳ４１２の処理を飛ばしてＳ４１３に処理を進める。Ｓ４１３では、情報提供部５９は、追加照会要求信号が送信されているか否かを判断する。この追加照会要求信号は、対象者が外部モバイル機器４から送信することができる。追加照会要求信号が送信されている場合（Ｓ４１３：Ｙｅｓ）、情報提供部５９はＳ４０７に処理を戻し、Ｓ４０７〜Ｓ４１３の処理を繰り返す。一方、追加照会要求信号が所定時間経過しても送信されない場合（Ｓ４１３：Ｎｏ）、情報提供部５９は、このルーチンを終了する。
【００６４】
以上の説明のように、本実施形態に係る気分情報提供システム１が備える気分判定装置としてのサーバ５は、対象者の気分に影響する生体信号を取得する生体信号取得部５１と、生体信号取得部５１が取得した生体信号に基づいて、対象者の気分を指標化した気分値を演算する気分値演算部５２と、１日の間に気分値演算部５２が演算した気分値を表す情報である気分ランクを時刻に関連付けてモニタリングすることにより、気分値のタイムチャートを作成するモニタリング部５４と、気分値のタイムチャートに基づいて、１日単位での対象者の気分を判定する気分判定部５５と、を備える。
【００６５】
本実施形態に係る気分判定装置（サーバ５）によれば、１日の間に演算された対象者の気分値についての気分ランクの推移に基づいて、１日単位で対象者の気分が良いのか悪いのかを総合的に判断することができる。
【００６６】
また、気分判定部５５は、気分ランクのタイムチャートに表される気分ランクの推移が閾値ランク（気分ランク４）を不快方向に下回る頻度である不快発生頻度Ｆを演算する不快発生頻度演算処理（Ｓ３０２）と、不快発生頻度Ｆが予め定められた閾値頻度Ｆｔｈ以上であるか否かに基づいて、１日単位での対象者の気分を判定する判定処理（Ｓ３０３、Ｓ３０４，Ｓ３０４）と、を実行する。このような処理の実行により、１日の間に対象者が不快と感じた回数（頻度）に基づいて、１日単位での対象者の気分を総合的に判定することができる。
【００６７】
また、気分判定装置（サーバ５）は、アドバイス情報作成部５６を備える。このアドバイス情報作成部５６は、気分ランクのタイムチャートから、対象者が不快になっている時刻の回帰を促すアドバイス情報を作成する。アドバイス情報作成部５６が作成した上記したアドバイス情報を対象者に提供することにより、対象者が不快であった時を回帰するとともにその時に起きた事象についての気づきが促される、それにより、その事象について対象者に再考させることができる。
【００６８】
また、気分判定装置（サーバ５）は、データ記憶部５７と、推移パターン学習部５８とを備える。データ記憶部５７は、対象者の１日分の気分ランクのタイムチャートを、複数の日数について記憶する。また、推移パターン学習部５８は、データ記憶部５７に記憶された複数の日数についての気分ランクのタイムチャートに基づいて、平均的な気分値情報推移のパターンである平均推移パターンを学習する。そして、アドバイス情報作成部５６は、入力された気分ランクのタイムチャートに表される気分ランクの推移（気分値情報推移）が平均推移パターンと異なる推移を示す部分を特異点として抽出するとともに、抽出した特異点の発生時刻に関する回帰を促すアドバイス情報を作成する。こうしたアドバイス情報を対象者に提供することにより、その時に起きた事象についての気づきを促し、且つ、その事象について対象者に再考させることができる。
【００６９】
また、気分判定装置（サーバ５）は、情報提供部５９を備える。この情報提供部５９は、認証機能を有し、認証が解除されたときに、気分判定部５５による判定結果（気分状態）を含む気分情報を提供する。情報提供部５９の認証機能により、対象者の気分に関する情報が他人に漏洩されることを防止できる。また、認証が解除されたときに情報提供部５９が気分の判定結果を対象者に提供することにより、対象者にその日の気分が総合的にどのようであるかを報知することができる。
【００７０】
（変形例１）
次に、上記実施形態の変形例について説明するが、この変形例は、気分判定部５５による気分判定処理のみにおいて上記実施形態とは異なり、それ以外の部分については上記実施形態と同一である。よって、気分判定部５５による気分判定処理のみについて説明し、それ以外の部分についての説明は、上記実施形態によるものとして、省略する。
【００７１】
図８は、この変形例に係る気分判定部５５が実行する気分判定処理ルーチンの流れを示すフローチャートである。このルーチンが起動すると、気分判定部５５は、まず、図８のＳ５０１にて、モニタリング部５４から気分ランクのタイムチャートを入力したか否かを判断する。気分ランクのタイムチャートを入力していない場合（Ｓ５０１：Ｎｏ）、気分判定部５５はこのルーチンを終了する。一方、気分ランクのタイムチャートを入力した場合（Ｓ５０１：Ｙｅｓ）、気分判定部５５は、Ｓ５０２に処理を進める。
【００７２】
Ｓ５０２では、気分判定部５５は、入力した気分ランクのタイムチャートから、不快時間割合ＲＴを演算する。不快時間割合ＲＴとは、基準時間ｔ０に対する不快時間Ｔ０の割合である。ここで、「不快時間」とは、入力した気分ランクのタイムチャートに表される気分ランクの推移が、予め定められる不快ゾーンの閾値ランクを不快方向（すなわち気分ランクが小さくなる方向）に下回る領域、すなわち不快ゾーンを推移する時間である。また、「基準時間」とは、入力した気分ランクのタイムチャートに表される気分ランクの推移が、不快ゾーンの閾値ランクよりも快適方向（すなわち気分ランクが大きくなる方向）に高い気分ランクとして予め定められている基準ランクを下回る時間である。従って、不快時間割合ＲＴは、気分ランクのタイムチャートに表される気分ランクの推移が不快ゾーンの閾値ランクを不快方向に下回る時間が、閾値ランクよりも快適方向に高い基準ランクを不快方向に下回る時間に対して占める割合である。Ｓ５０２の処理が、本発明の不快時間割合演算処理に相当する。
【００７３】
気分判定部５５に入力された気分ランクのタイムチャートが図９に示すようである場合についての不快時間割合ＲＴについて説明する。図９において、不快ゾーンの閾値ランクは、「やや不快」な気分を表す気分ランク４である。この場合、不快ゾーンは、気分ランク４を下回る領域により表される。図９に示される気分ランクのタイムチャートにより表される気分ランクの推移のうち、気分ランク４を下回る時間Ｔ０（不快時間）は、図９において、Ｔ１＋Ｔ２＋Ｔ３＋Ｔ４＋Ｔ５により表される。また、図９において、基準ランクは気分ランク７である。この場合、気分ランクのタイムチャートにより表される気分ランクが気分ランク７（基準ランク）を下回る時間ｔ０（基準時間）は、図９において、ｔ１＋ｔ２＋ｔ３＋ｔ４により表される。従って、不快時間割合ＲＴは、
ＲＴ＝Ｔ０／ｔｏ＝（Ｔ１＋Ｔ２＋Ｔ３＋Ｔ４＋５）／（ｔ１＋ｔ２＋ｔ３＋ｔ４）
として、求められる。
【００７４】
不快時間割合ＲＴを演算した後に、気分判定部５５は、Ｓ５０３に処理を進める。Ｓ５０３では、Ｓ５０２にて求めた不快時間割合ＲＴが閾値時間割合ＲＴｔｈ以上であるか否かが判断される。閾値時間割合ＲＴｔｈは、不快時間割合ＲＴがそれ以上である場合に、総合的に見て対象者の気分が不快であると判断することができる割合として、予め設定される。
【００７５】
不快時間割合ＲＴが閾値時間割合ＲＴｔｈ以上である場合（Ｓ５０３：Ｙｅｓ）、気分判定部５５は、気分状態を「不快」に設定する（Ｓ５０４）。一方、不快時間割合ＲＴが閾値時間割合ＲＴｔｈ未満である場合（Ｓ５０３：Ｎｏ）、気分判定部５５は、気分状態を「快適」に設定する（Ｓ５０５）。気分判定部５５が、Ｓ５０４又はＳ５０５にて気分状態を「不快」又は「快適」に設定することによって、１日単位での対象者の気分が判定される。Ｓ５０３，Ｓ５０４，Ｓ５０５の処理が、本発明の判定処理に相当する。
【００７６】
気分判定部５５は、Ｓ５０４又はＳ５０５にて気分状態を設定した後に、Ｓ５０６に処理を進め、モニタリング部５４から入力したタイムチャート、そのタイムチャートに基づいて演算した不快時間割合ＲＴ、及び設定した気分状態を、関連付けて、アドバイス情報作成部５６に出力する。その後、気分判定部５５は、このルーチンを終了する。
【００７７】
このように、変形例１によれば、１日のうち対象者が不快と感じた時間（或いは、不快と感じた時間の割合）に基づいて、対象者の１日単位での気分を総合的に判定することができる。
【００７８】
（変形例２）
次に、上記実施形態のその他の変形例について説明するが、この変形例は、気分判定部５５による気分判定処理のみにおいて上記実施形態及び変形例１とは異なり、それ以外の部分については上記実施形態と同一である。よって、気分判定部５５による気分判定処理のみについて説明し、それ以外の部分についての説明は、上記実施形態によるものとして、省略する。
【００７９】
図１０は、この変形例に係る気分判定部５５が実行する気分判定処理ルーチンの流れを示すフローチャートである。このルーチンが起動すると、気分判定部５５は、まず、図１０のＳ６０１にて、モニタリング部５４から気分ランクのタイムチャートを入力したか否かを判断する。気分ランクのタイムチャートを入力していない場合（Ｓ６０１：Ｎｏ）、気分判定部５５はこのルーチンを終了する。一方、気分ランクのタイムチャートを入力した場合（Ｓ６０１：Ｙｅｓ）、気分判定部５５は、Ｓ６０２に処理を進める。
【００８０】
Ｓ６０２では、気分判定部５５は、入力した気分ランクのタイムチャートから、不快面積割合ＲＳを求める。不快面積割合ＲＳとは、基準面積ｓ０に対する不快面積Ｓ０の割合である。ここで、「不快面積」とは、入力した気分ランクのタイムチャートに表される気分ランクの推移が上述した不快ゾーンを推移する面積である。更に言えば、「不快面積」とは、入力した気分ランクのタイムチャートに表される気分ランクの推移が不快ゾーンの閾値ランクを下回る時間（不快時間）における、気分ランクと閾値ランクとの差の絶対値の時間積分値である。また、「基準面積」とは、入力した気分ランクのタイムチャートに表される気分ランクの推移が、不快ゾーンの閾値ランクよりも快適方向に高い気分ランクとして予め定められている基準ランクを下回る面積である。更に言えば、「基準面積」とは、入力した気分ランクのタイムチャートに表される気分ランクの推移が基準ランクを下回る時間（基準時間）における、気分ランクと基準ランクとの差の絶対値の時間積分値である。従って、不快面積割合ＲＳは、気分ランクのタイムチャートに表される気分ランクの推移が不快ゾーンの閾値ランクを不快方向に下回る面積が、閾値ランクよりも快適方向に高い基準ランクを不快方向に下回る面積に対して占める割合である。Ｓ６０２の処理が、本発明の不快面積割合演算処理に相当する。
【００８１】
図１１Ａは、気分判定部５５に入力された気分ランクのタイムチャートに不快面積Ｓ０を示す図である。図１１Ａにおいて、不快ゾーンの閾値ランクは気分ランク４である。この場合、不快ゾーンは、気分ランク４を下回る領域により表される。図１１Ａに示すタイムチャートにより表される気分ランクの推移において、気分ランク４を下回る面積、すなわち不快面積Ｓ０は、図１１Ａの斜線で示す５つの領域（Ｓ１，Ｓ２，Ｓ３，Ｓ４，Ｓ４）の総和である。つまり、不快面積Ｓ０は、Ｓ１＋Ｓ２＋Ｓ３＋Ｓ４＋Ｓ５である。
【００８２】
図１１Ｂは、気分判定部５５に入力された気分ランクのタイムチャートに基準面積ｓ０を示す図である。図１１Ｂにおいて、基準ランクは７である。この場合、図１１Ｂに示すタイムチャートに表される気分ランクの推移において、基準ランク７を下回る面積、すなわち基準面積ｓ０は、図１１Ｂの塗りつぶした部分で示す４つの領域（ｓ１，ｓ２，ｓ３，ｓ４）の総和である。つまり、基準面積ｓ０は、ｓ１＋ｓ２＋ｓ３＋ｓ４である。
【００８３】
従って、不快面積割合ＲＳは、
ＲＳ＝Ｓ０／ｓ０＝（Ｓ１＋Ｓ２＋Ｓ３＋Ｓ４＋Ｓ５）／（ｓ１＋ｓ２＋ｓ３＋ｓ４）
として、求められる。
【００８４】
不快面積割合ＲＳを演算した後に、気分判定部５５は、Ｓ６０３に処理を進める。Ｓ６０３では、Ｓ６０２にて求めた不快面積割合ＲＳが閾値面積割合ＲＳｔｈ以上であるか否かが判断される。閾値面積割合ＲＳｔｈは、不快面積割合ＲＳがそれ以上である場合に、総合的に見て対象者の気分が不快であると判断することができる割合として、予め設定される。
【００８５】
不快面積割合ＲＳが閾値面積割合ＲＳｔｈ以上である場合（Ｓ６０３：Ｙｅｓ）、気分判定部５５は、気分状態を「不快」に設定する（Ｓ６０４）。一方、不快面積割合ＲＳが閾値面積割合ＲＳｔｈ未満である場合（Ｓ６０３：Ｎｏ）、気分判定部５５は、気分状態を「快適」に設定する（Ｓ６０５）。Ｓ６０４又はＳ６０５にて気分状態を「不快」又は「快適」に設定することによって、１日単位での対象者の気分が判定される。Ｓ６０３、Ｓ６０４，Ｓ６０５の処理が、本発明の判定処理に相当する。
【００８６】
気分判定部５５は、Ｓ６０４又はＳ６０５にて気分状態を設定した後に、Ｓ６０６に処理を進め、モニタリング部５４から入力したタイムチャート、そのタイムチャートに基づいて演算した不快面積割合ＲＳ、及び設定した気分状態を、関連付けて、アドバイス情報作成部５６に出力する。その後、気分判定部５５は、このルーチンを終了する。
【００８７】
この変形例によれば、１日のうちの対象者が不快と感じた時間及び不快と感じる度合いに基づいて、より正確に、対象者の１日単位での気分を総合的に判定することができる。
【００８８】
以上、本発明の実施形態及びその変形例について説明したが、本発明は、上記実施形態に限定されるものではない。例えば、上記実施形態では、対象者の求めに応じて気分情報を提供する例を示したが、定刻（例えば朝の７時）に、前日の気分状態を含む気分情報を対象者に提供するように構成することもできる。また、上記実施形態に用いられた生体信号検出センサ２は、気分を推定（気分値を演算）するために用いられるが、例えば就寝中等には、睡眠センサとしてこれを兼用することができる。この場合、対象者の活動時には気分を推定することができ、就寝時には睡眠度を推定することもできる。
【００８９】
また、上記実施形態及び変形例では、モニタリング部５４が気分ランクのタイムチャートを作成することによって対象者の気分値情報推移を取得する例を示したが、気分値のタイムチャートを作成することによって対象者の気分値情報推移を取得しても良い。さらに、上記実施形態及び変形例では、モニタリング部５４が、１０分刻みで不連続的に気分ランクが示されたタイムチャートを作成しているが、連続的に気分ランクが示されたタイムチャートを作成することもできる。
【００９０】
また、上記変形例１では、不快発生時間の基準時間に対する割合に基づいて、１日単位での気分を判定する例を示したが、不快発生時間に基づいて、１日単位での気分を判定することもできる。また、上記変形例２では、不快発生面積の基準面積に対する割合に基づいて、１日単位での気分を判定する例を示したが、不快発生面積に基づいて、１日単位での気分を判定することもできる。
【００９１】
また、上記変形例１及び変形例２では、閾値ランクを４に設定し、基準ランクを７に設定した例を示したが、状況に応じて閾値ランク及び基準ランクを任意の気分ランクに設定することもできる。例えば、基準ランクを、気分ランク１０に設定することもできる。また、上記実施形態及び変形例では、気分判定部５５によって気分状態が「不快」、「快適」のいずれかに判定される例を示したが、判定の閾値を２つ以上設けることによって、気分状態をより細分化して表すことができる。また、本発明は、例えば、寝たきりの人の気分を判定するように構成することもできる。この場合、対象者のベッドに生体信号検出センサを設置しておき、その生体信号検出センサにて検出された生体信号から気分を判断することができる。これによれば、寝たきりの人が褥瘡等により不快になっていることを、看護師等に知らせることができる。また、本発明に係る気分判定装置（サーバ５）を、非常用電源に接続することもできる。これによれば、停電時であっても安定的に対象者の気分を判定することができる。また、本発明に係る気分判定装置（サーバ５）は、対象者の好みの楽曲を再生する機能を有していても良い。そして、対象者の気分ランクが低い場合に、自動的に好みの楽曲を再生するように構成されていてもよい。このように、本発明は、その趣旨を逸脱しない限りにおいて、変形可能である。
【符号の説明】
【００９２】
１…気分情報提供システム、２…生体信号検出センサ、３…中継器、４…外部モバイル機器、４１…表示画面、５…サーバ、５１…生体信号取得部、５２…気分値演算部、５３…気分ランク設定部、５４…モニタリング部、５５…気分判定部、５６…アドバイス情報作成部、５７…データ記憶部、５８…推移パターン学習部、５９…情報提供部、Ｓ３０２…不快発生頻度演算処理、Ｓ３０３，Ｓ３０４，Ｓ３０５…判定処理、Ｓ５０２…不快時間割合演算処理、Ｓ５０３，Ｓ５０４，Ｓ５０５…判定処理、Ｓ６０２…不快面積割合演算処理、Ｓ６０３，Ｓ６０４，Ｓ６０５…判定処理、Ｆ…不快発生頻度、Ｆｔｈ…閾値頻度、ＲＴ…不快時間割合、ＲＴｔｈ…閾値時間割合、ＲＳ…不快面積割合、ＲＳｔｈ…閾値面積割合
【図１】
2018166653.tif 000004
【図２】
2018166653.tif 000005
【図３】
2018166653.tif 000006
【図４】
2018166653.tif 000007
【図５】
2018166653.tif 000008
【図６】
2018166653.tif 000009
【図７】
2018166653.tif 000010
【図８】
2018166653.tif 000011
【図９】
2018166653.tif 000012
【図１０】
2018166653.tif 000013
【図１１Ａ】
2018166653.tif 000014
【図１１Ｂ】
2018166653.tif 000015